(57)【要約】【課題】  安全性を確保するとともに、貸金庫ボックスの出し入れを自動的に記録することで、利用状況の管理が容易で、確実な貸金庫を提供する。【課題を解決するための手段】  貸金庫は、多数の貸金庫ボックス２ａ〜２ｆを収納するボックス収納部３とＣＰＵ２３などを収納した装置収納部４とを有し、ボックス収納部３の開閉扉には、電気錠２０と、この電気錠２０を施錠状態とする施錠ボタンを設け、ＣＰＵ２３は各貸金庫ボックス２ａ〜２ｆが収納位置に置かれているかどうかを検出する検知スイッチ１９の検出信号を受けて各貸金庫ボックス２ａ〜２ｆの取り出し及び再収納に関するデータをメモリ２４に格納する一方、ＣＰＵ２３は、操作者のＩＤを入力するカードリーダ２５及び入力キー２６と、格納したデータをプリントアウトするプリンタ２７を備え、入力した操作者のＩＤがあらかじめ設定されている操作者のＩＤと一致すると電気錠２０を解錠する。【選択図】    図５
0003112793.tif 000002
【実用新案登録請求の範囲】
【請求項１】
多数の貸金庫ボックスを収納するボックス収納部と制御装置を収納した装置収納部とを有し、前記ボックス収納部の前面に設けた開閉扉には、電気信号で動作する施錠機構を設けるとともに、この施錠機構に施錠信号を送って施錠状態とする施錠操作部材を設け、また、前記ボックス収納部には各貸金庫ボックスが収納位置に置かれているかどうかを検出する検出機構を設けて、この検出機構の検出信号を前記制御装置に送り、各貸金庫ボックスの取り出し及び再収納に関するデータをメモリに格納する一方、前記制御装置は、操作者のＩＤを入力するＩＤ入力部と、前記格納したデータをプリントアウトするプリンタを備え、前記ＩＤ入力部から入力したＩＤがあらかじめ設定されている操作者のＩＤと一致すると前記施錠機構に解錠信号を送って解錠状態にするよう構成した貸金庫。
【考案の詳細な説明】
【技術分野】
【０００１】
本考案は、銀行などの金融機関や、ホテルなどの宿泊施設、あるいはゴルフ場などの運動施設で使用する貸金庫に関し、特に、貸金庫設置者の操作者が、貸金庫に収納してある多数の貸金庫ボックスから、利用者が指定した貸金庫ボックスを取り出し、再収納する貸金庫に関する。
【背景技術】
【０００２】
従来から、貸金庫は各種の構成のものが知られているが、近年、不正利用に対処するために、貸し出される各貸金庫ボックスの利用状況を把握し、管理することが求められている。この要望に応えるものとして、従来、ビデオカメラを使って利用者等を録画しておくことが提案されている。
【０００３】
【特許文献１】特開平６−７３９４９号公報
【考案の開示】
【考案が解決しようとする課題】
【０００４】
ところが、この従来例によると、ビデオカメラを使用した監視装置は周辺機器も含め構成が複雑で、大型化せざるを得ないとともに、高価であるという不都合があった。本考案は、この不都合を解消した貸金庫を提供することを目的とする。
【課題を解決するための手段】
【０００５】
この目的を達成するため、本考案の請求項１に係る貸金庫１は、多数の貸金庫ボックス２ａ，２ｂ，２ｃ，２ｄ，２ｅ，２ｆを収納するボックス収納部３と制御装置、例えばＣＰＵ２３を収納した装置収納部４とを有し、前記ボックス収納部３の前面に設けた開閉扉５ａ，５ｂには、電気信号で動作する施錠機構、例えば電気錠２０を設けるとともに、この施錠機構２０に施錠信号を送って施錠状態とする施錠操作部材、例えば施錠ボタン８を設け、また、前記ボックス収納部３には各貸金庫ボックス２ａ，２ｂ，２ｃ，２ｄ，２ｅ，２ｆが収納位置に置かれているかどうかを検出する、例えば検知スイッチ１９を主要素とする検出機構１７，１８，１９を設けて、この検出機構１７，１８，１９の検出信号を前記制御装置２３に送り、各貸金庫ボックス２ａ，２ｂ，２ｃ，２ｄ，２ｅ，２ｆの取り出し及び再収納に関するデータ、例えば利用日時を前記制御装置２３の内部または外部のメモリ２４に格納する一方、前記制御装置２３は、操作者のＩＤを入力する、例えば入力キー２６とカードリーダ２５からなるＩＤ入力部と、前記格納したデータをプリントアウトするプリンタ２７を備え、前記ＩＤ入力部２５，２６から入力したＩＤがあらかじめ設定されている操作者のＩＤと一致すると前記施錠機構２０に解錠信号を送って解錠状態にするよう構成したものである。
【考案の効果】
【０００６】
本考案の請求項１に係る貸金庫によれば、制御装置による施錠機構の制御で貸金庫としての安全性を充分確保するとともに、貸金庫ボックスの出し入れに関する日時等のデータをメモリに自動的に格納し、この格納内容をプリントアウトできるので、利用状況の管理が容易で、確実であるという効果を奏する。
【考案を実施するための最良の形態】
【０００７】
以下、本考案の好適な実施形態を添付図面に基づいて説明する。ここにおいて、図１は貸金庫を示す正面図、図２はその収納部の開閉扉を開放した状態を示す正面図、図３は貸金庫ボックスの斜視図、図４は貸金庫ボックスの検出機構を示す拡大断面図、図５はＣＰＵと電気錠及び検知スイッチとの接続関係を示すブロック図である。
【０００８】
図１及び図２に示すように、貸金庫１は、多数の、具体的には１１個ずつ６つのグループに分けた６６個の貸金庫ボックス２ａ，２ｂ，２ｃ，２ｄ，２ｅ，２ｆ（以下、貸金庫ボックス２ａ〜２ｆと略記する。）を収納するボックス収納部３と、後述するＣＰＵ２３やメモリ２４（図５参照）を収納した装置収納部４とを有している。前記ボックス収納部３の前面には一対の開閉扉５ａ，５ｂを設け、この開閉扉５ａ，５ｂには電気信号で動作する公知の施錠機構である電気錠２０（図５参照）を設けるとともに、前記開閉扉５ａにはこの電気錠２０に施錠信号を送って施錠状態とする施錠操作部材である施錠ボタン６と、解錠時に点灯する解錠ランプ７と、電気信号によらずキーによって機械的に解錠するための非常解錠キー挿入部８と、取っ手９とを設けている。また、開閉扉５ｂには、その開放状態を検知する検知スイッチ２１（図５参照）を設けている。
【０００９】
次に、貸金庫ボックス２ａ〜２ｆの構成を説明するが、これらの構成はすべて同一なので、貸金庫ボックス２ａについてのみ説明する。図３に示すように、貸金庫ボックス２ａは、前面に取っ手１０を有し、上面が開閉蓋１１となっている。そして、開閉蓋１１には、開閉蓋１１に設けた公知の施錠機構（図示せず）を解錠、あるいは施錠するためのキー操作部１２を設けている。このキー操作部１２に挿入して操作するキー（図示せず）は、利用者が各自保管するものである。各貸金庫ボックス２ａ〜２ｆには固有の番号が付されるとともに、これら固有番号データは、各貸金庫ボックス２ａ〜２ｆの収納位置と対応付けて、あらかじめメモリ２４に格納されている。
【００１０】
また、ボックス収納部３の後面側には各貸金庫ボックス２ａ〜２ｆが収納位置に置かれているかどうかを検出する検出機構を設けている。この検出機構は、各貸金庫ボックス２ａ〜２ｆ毎に同一構成のものを設けているので、その一つについてのみ図４に基づいて説明する。貸金庫ボックス２ａの後面を当接して位置決めする背当て板１３を固定した固定板１４には、取付板１５を介してブラケット１６を固定している。ブラケット１６及びそのガイド部１６ａと前記各板１３，１４，１５には一直線上に透孔を形成し、これら透孔に作動桿１７をその軸方向に移動可能に支持している。
【００１１】
この作動桿１７は、ガイド部１６ａとつば体２２との間に配置したコイルバネ１８の弾発力でボックス収納部３の前面方向に付勢されている。前記作動桿１７の弾発付勢力に抗して移動する経路上に、検知スイッチ１９のスイッチ片１９ａが対応位置し、貸金庫ボックス２ａが背当て板１３に当接する位置まで押し込まれると、前記作動桿１７が図４の仮想線状態に移動して前記検知スイッチ１９がオン状態となる一方、前記貸金庫ボックス２ａが背当て板１３から離反すると、前記作動桿１７が元位置に復帰して、検知スイッチ１９はオフ状態となる。そして、これらオン、オフ状態の各検出信号がＣＰＵ２３（図５参照）に送られ、検出信号を発した検知スイッチ１９に応じて貸金庫ボックス２ａが特定され、その収納の有無を全貸金庫ボックス２ａ〜２ｆについて検出可能に構成している。
【００１２】
続いて、装置収納部４に収納されたＣＰＵ２３をはじめとする装置の構成を図５に基づいて説明する。ＣＰＵ２３には、ボックス収納部３に設けた各検知スイッチ１９，２１からの検知信号が入力し、このうち各検知スイッチ１９からの検知信号は、各貸金庫ボックス２ａ〜２ｆの取り出し及び再収納のデータ信号として、ＣＰＵ２３からメモリ２４に出力されてここに格納される。
【００１３】
さらに、ＣＰＵ２３には、操作者の例えば２桁の数字からなるＩＤを記録した磁気カードからＩＤを読み取って入力するカードリーダ２５と、前記ＩＤ及び例えば４桁の数字からなる暗証番号をキー入力する入力キー２６とからなるＩＤ入力部が設けられるとともに、メモリ２４に格納したデータをプリントアウトするプリンタ２７と、入力キー２６の入力等の操作内容を表示するＬＣＤ２８を設けている。そして、ＣＰＵ２３は、前記カードリーダ２５と入力キー２６から入力したＩＤ及び暗証番号があらかじめ設定されている操作者のＩＤ及び暗証番号と一致すると電気錠２０に解錠信号を出力して解錠状態にするものである。なお、管理モードスイッチ２９は、ＣＰＵ２３の制御モードを操作者のＩＤや暗証番号をあらかじめ登録したり、メモリ２４に格納されているデータをプリントアウトする範囲を設定したり、プリントアウトを指示する管理モードにするためのものである。
【００１４】
さらにまた、図１及び図２に示すように、装置収納部４の前面扉３０には、プリンタ２７でプリントした用紙が排出される排出口３１と、ＬＣＤ２８の表示画面と、入力キー２６と、磁気カードを読み取りのために挿入してスライドするカード挿入口３２と、前面扉３０の施錠機構（図示せず）を解錠あるいは施錠するためのキー操作部３３を設けている。
【００１５】
次に、上述した貸金庫１の使用方法を説明する。通常、貸金庫１は図１に示す状態にある。利用者からの申し出があると、操作者は、あらかじめ設定された自分のＩＤを入力キー２６から入力したうえ、磁気カードをカード挿入口３２に挿入してスライドし、さらに暗証番号を入力キー２６から入力する。すると、ＣＰＵ２３は、入力キー２６から入力されたＩＤと暗証番号の組み合わせがあらかじめ設定されているものと一致するか判断するとともに、カードリーダ２５で読み取った磁気記録されたＩＤとも一致するかを判断する。そして、すべてが一致すれば解錠信号を電気錠２０に出力して解錠状態とする一方、解錠信号の出力とその日時をメモリ２４に格納する。この時、解錠ランプ７が点灯して、操作者に解錠状態になったことを知らせる。
【００１６】
操作者は、開閉扉５ａ，５ｂを開いて、利用者が契約している貸金庫ボックス２ａを取り出す。これによって検知スイッチ１９がオフとなり、検知信号がＣＰＵ２３に入力して、取り出された貸金庫ボックス２ａと取り出し日時をメモリ２４に格納する。また、この時解錠ランプ７は点滅状態となる。続いて、操作者は、開閉扉５ａ，５ｂを閉じて、施錠ボタン６を押し、電気錠２０を施錠状態とする。電気錠２０が施錠状態になると、ＣＰＵ２３はこれを検知して、メモリ２４に施錠状態の検知とその日時を格納する。
【００１７】
操作者から貸金庫ボックス２ａを受け取った利用者は、自己の所持するキーをキー操作部１２に挿入して開閉蓋１１を開き、所望の利用行為を行った後、貸金庫ボックス２ａを操作者に渡す。操作者は上述と同様にして開閉扉５ａ，５ｂを開くが、この時、再度、解錠信号の出力とその日時がメモリ２４に格納され、解錠ランプ７は点滅状態から連続点灯状態となる。操作者が貸金庫ボックス２ａを元の位置に収納すると、検知スイッチ１９がこれを検知し、前記貸金庫ボックス２ａの収納とその日時がメモリ２４に格納される。そして、操作者は、開閉扉５ａ，５ｂを閉じ、施錠ボタン６を押して電気錠２０を施錠状態にし、操作を終了する。この施錠とその日時もメモリ２４に格納される。
【００１８】
なお、電源からの給電がなされなかったり、機械的故障が生じて、通常操作では電気錠２０の解錠が不可能となった場合には、非常解錠キー操作部８に、別途保管している非常解錠キー（図示せず）を挿入して解錠することができる。また、メモリ２４に格納したデータはプリント２７でプリントアウトすることができる。
【００１９】
なお、本考案は上述の実施形態に限られず、貸金庫ボックス２ａ〜２ｆの数は、６６個に限らない。また、暗証番号の入力を省き、磁気カードと入力キー２６からのＩＤの入力だけとしてもよい。さらに、磁気カードに替えて、ＩＣカードを使用することもできる。
【図面の簡単な説明】
【００２０】
【図１】貸金庫を示す正面図。
【図２】同じくその収納部の開閉扉を開放した状態を示す正面図。
【図３】貸金庫ボックスの斜視図。
【図４】貸金庫ボックスの検出機構を示す拡大断面図。
【図５】ＣＰＵと電気錠及び検知スイッチとの接続関係を示すブロック図。
【符号の説明】
【００２１】
１      貸金庫
２ａ，２ｂ，２ｃ，２ｄ，２ｅ，２ｆ      貸金庫ボックス
３      収納部
４      装置収納部
５ａ，５ｂ      開閉扉
６      施錠ボタン
１７      作動桿
１８      コイルバネ
１９      検知スイッチ
２０      電気錠
２３      ＣＰＵ
２４      メモリ
２５      カードリーダ
２６      入力キー
２７      プリンタ
２８      ＬＣＤ
【図１】
0003112793.tif 000003
【図２】
0003112793.tif 000004
【図３】
0003112793.tif 000005
【図４】
0003112793.tif 000006
【図５】
0003112793.tif 000007